(57)【要約】【課題】  左右後輪のうちの一方の車輪のみが転舵異常となったときに、その状態で走行する際における車両の安定性および車両の操作性を良好にすること。【解決手段】  転舵異常検出手段が片輪転舵異常を検出したとき（Ｓ２０１：ＮｏまたはＳ２０２：Ｎｏ）に、車速Ｖが基準車速Ｖ０以下の場合（Ｓ２０５：ＹｅｓまたはＳ２０９：Ｙｅｓ）には、後輪の転舵正常輪を転舵異常輪の転舵方向とは逆方向に転舵する（Ｓ２０８、Ｓ２１２）。また、車速Ｖが基準車速Ｖ０よりも大きい場合（Ｓ２０５：ＮｏまたはＳ２０９：Ｎｏ）には、後輪の転舵正常輪を転舵異常輪の転舵方向と同一方向に転舵する（Ｓ２０８、Ｓ２１２）。これにより、低速走行時の操作性および高速走行時の走行安定性を両立できる。【選択図】  図３
2007230511.tif 000002
【特許請求の範囲】
【請求項１】
左右後輪を独立して転舵する転舵アクチュエータを備えた転舵装置において、
車両の走行状態を検出する走行状態検出手段と、
左後輪および右後輪のいずれか一方の車輪の転舵状態が異常である片輪転舵異常を検出する転舵異常検出手段と、
前記転舵異常検出手段が前記片輪転舵異常を検出したときに、前記走行状態検出手段により検出された走行状態に応じて右後輪および左後輪のいずれか他方の車輪を転舵するように、前記転舵アクチュエータを駆動制御する転舵アクチュエータ制御手段と、を備えることを特徴とする転舵装置。
【請求項２】
請求項１に記載の転舵装置において、
前記転舵アクチュエータ制御手段は、前記走行状態検出手段により検出された走行状態に応じて、前記他方の車輪の転舵方向が前記一方の車輪の転舵方向と同一方向または逆方向となるように前記転舵アクチュエータを駆動制御することを特徴とする転舵装置。
【請求項３】
請求項１または２に記載の転舵装置において、
前記走行状態検出手段は車両の車速を検出する車速センサであることを特徴とする転舵装置。
【請求項４】
請求項３に記載の転舵装置において、
前記転舵アクチュエータ制御手段は、前記車速センサにより検出された車速が所定の基準車速以下である場合は、前記他方の車輪の転舵方向を前記一方の車輪の転舵方向と逆方向となるように前記転舵アクチュエータを駆動制御することを特徴とする転舵装置。
【請求項５】
請求項３または４に記載の転舵装置において、
前記転舵アクチュエータ制御手段は、前記車速センサにより検出された車速が所定の基準車速よりも大きい場合は、前記他方の車輪の転舵方向を前記一方の車輪の転舵方向と同一方向となるように前記転舵アクチュエータを駆動制御することを特徴とする転舵装置。
【請求項６】
請求項１または２に記載の転舵装置において、
前記走行状態検出手段は、車両の変速機の変速状態を検出するギヤポジションセンサであり、
前記転舵アクチュエータ制御手段は、前記ギヤポジションセンサにより検出された変速状態が後退状態である場合は、前記他方の車輪の転舵方向を前記一方の車輪の転舵方向と逆方向となるように前記転舵アクチュエータを駆動制御することを特徴とする転舵装置。
【発明の詳細な説明】
【技術分野】
【０００１】
本発明は、前後左右輪のうちの少なくとも後輪の左右輪を独立して転舵する転舵アクチュエータを備えた転舵装置に関する。
【背景技術】
【０００２】
従来から、車両の左右輪をそれぞれ独立に転舵制御する独立転舵装置が知られている。例えば特許文献１には、車両の前後左右輪を独立制御する４輪独立転舵装置において、いずれかの車輪を転舵する転舵アクチュエータが失陥した場合に、失陥していない残りの転舵アクチュエータを制御して、車両の偏向を修正するものが提案されている。
【特許文献１】特開２００１−３２２５５７
【発明の開示】
【０００３】
本発明は、左右後輪を独立して転舵する転舵アクチュエータを持つ転舵装置において、右後輪または左後輪のいずれか一方が転舵異常となったときに、その状態で走行する際における車両の安定性および車両の操作性を良好にすることのできる転舵装置を提供することを目的とする。
【０００４】
上記目的を達成するために、本発明の特徴は、左右後輪を独立して転舵する転舵アクチュエータを備えた転舵装置において、車両の走行状態を検出する走行状態検出手段と、右後輪および左後輪のいずれか一方の車輪の転舵状態が異常である片輪転舵異常を検出する転舵異常検出手段と、前記転舵異常検出手段が前記片輪転舵異常を検出したときに、前記走行状態検出手段により検出された走行状態に応じて右後輪および左後輪のいずれか他方の車輪を転舵するように、前記転舵アクチュエータを制御する転舵アクチュエータ制御手段とを備えた転舵装置としたことにある。
【０００５】
上記のように構成した本発明においては、左右後輪のいずれか一方の車輪の転舵状態が異常となった場合に、転舵アクチュエータ制御手段によって、転舵異常輪とは反対側の車輪である転舵正常輪（左右後輪のいずれか他方の車輪）が車両の走行状態に応じて転舵される。したがって、上記片輪転舵異常時であっても、走行状態に応じて適切に転舵正常輪の転舵制御を行って、車両の安定性および操作性を良好とすることができる。
【０００６】
この場合、前記転舵アクチュエータ制御手段は、前記走行状態検出手段により検出された走行状態に応じて、前記他方の車輪である転舵正常輪の転舵方向が前記一方の車輪である転舵異常輪の転舵方向と同一方向または逆方向となるように前記転舵アクチュエータを駆動制御するとよい。転舵正常輪の転舵方向が転舵異常輪の転舵方向と同一方向となるように転舵アクチュエータを駆動制御（同位相制御）すると、車両を転舵異常輪の転舵方向に安定して走行させることができる。さらに、転舵異常輪と転舵正常輪との転舵角度差が小さくなるため、上記片輪転舵異常時であっても走行中の車輪の磨耗を少なくすることができる。一方、転舵正常輪の転舵方向が転舵異常輪の転舵方向と逆方向となるように転舵アクチュエータを駆動制御（逆位相制御）すると、転舵異常輪に働く横力と転舵正常輪に働く横力とが相殺される。このため、例えば操舵ハンドルの操舵操作により前輪を転舵した場合に、転舵異常輪の転舵状態に影響されずに所望の方向に車両を操舵することができ、上記片輪転舵異常時であっても車両の操作性（取り回し性）を良好にすることができる。本発明は車両の走行状態に応じて同位相制御または逆位相制御を行うことにより、走行状態に見合った車両の操舵操作を行うことが可能となる。なお、同位相制御または逆位相制御をするときに、転舵異常輪を所定の転舵角、例えば異常が発生したときの転舵角で固定しておくとよい。
【０００７】
上記において、「転舵方向」とは、車軸方向に対する車輪の向きのことである。したがって、左右後輪の転舵角の正負が同一であれば、転舵方向が同一方向であり、異なれば、転舵方向が逆方向である。
【０００８】
また、前記走行状態検出手段は、車両の車速を検出する車速センサであるとよい。そして、前記転舵アクチュエータ制御手段は、前記車速センサにより検出された車速が所定の基準車速以下である場合は、前記他方の車輪である転舵正常輪の転舵方向を前記一方の車輪である転舵異常輪の転舵方向と逆方向となるように前記転舵アクチュエータを駆動制御するとよい。車速が上記基準車速以下となる低速走行中あるいは後退走行中は、車庫入れなどをするために操舵ハンドルを回動させて車両を取り回す機会が多くなると予測される。したがって、このような場合に逆位相制御を行うことにより、車両の操作性（取り回し性）が良好となり、車庫入れ時などの車両の操作をスムーズに行うことができる。この場合、転舵正常輪の転舵角を、転舵異常輪の転舵角と大きさが同じで正負が逆となるように転舵アクチュエータを駆動制御するのが最も効果的である。
【０００９】
また、前記車速センサにより検出された車速が所定の基準車速よりも大きい場合は、前記他方の車輪である転舵正常輪の転舵方向を前記一方の車輪である転舵異常輪の転舵方向と同一方向となるように前記転舵アクチュエータを駆動制御するとよい。このようなときに同位相制御を行うことにより、車両の走行安定性が良好となり、スムーズな走行が可能となる。この場合、転舵正常輪の転舵角を、転舵異常輪の転舵角と同一となるように転舵アクチュエータを駆動制御するのが最も効果的である。
【００１０】
上記所定の基準車速は、それ以下で低速走行または後退走行と判断されて逆位相制御が行われ、それよりも大きい場合は高速走行と判断されて同位相制御が行われるときの閾値である。このような閾値となる基準車速は、車種により、または転舵異常輪の転舵角度によって変更してもよいが、おおよそ５〜１０ｋｍ／ｈの範囲であるとよい。
【００１１】
また、前記走行状態検出手段は、車両の変速機の変速状態を検出するギヤポジションセンサであってもよい。この場合、前記転舵アクチュエータ制御手段は、前記ギヤポジションセンサにより検出された変速状態が後退状態である場合は、前記他方の車輪である転舵正常輪の転舵方向を前記一方の車輪である転舵異常輪の転舵方向と逆方向となるように前記転舵アクチュエータを駆動制御するとよい。ギヤポジションが後退状態であれば、車両が後退走行するものと判断することができるので、この場合に逆位相制御を行うことにより、車両の操作性を良好とすることができる。なお、ギヤポジションセンサは、直接的に変速機の変速状態を見てギヤポジションを検出するものでもよいし、シフトレバーのシフト位置を見てギヤポジションを検出するシフトポジションセンサでもよい。シフトポジションセンサを用いる場合は、シフト位置が“Ｒ”（リバース）位置のときに、逆位相制御をするとよい。
【００１２】
本発明は、少なくとも左右後輪が独立して転舵制御される転舵装置であれば、どのようなものにも適用できる。例えば、４輪全てが独立して転舵制御される４輪独立転舵装置でもよいし、左右後輪のみが独立して転舵制御され、左右前輪は連動して転舵する方式の転舵装置であってもよい。
【発明を実施するための最良の形態】
【００１３】
以下、本発明の実施形態に係る転舵装置について図面を用いて説明する。図１は、本実施形態に係る４輪独立転舵車両における転舵装置を概略的に示している。
【００１４】
この車両は、左右前輪Ｗfl，Ｗfr及び左右後輪Ｗrl，Ｗrrをそれぞれ独立して転舵するための転舵機構１０Ａ，１０Ｂ，１０Ｃ，１０Ｄを備えている。
【００１５】
転舵機構１０Ａ，１０Ｂ，１０Ｃ，１０Ｄは、左右前輪Ｗfl，Ｗfr及び左右後輪Ｗrl，Ｗrrにそれぞれ組み付けられるとともに一体的に垂直軸回りに回動して、各輪Ｗfl，Ｗfr，Ｗrl，Ｗrrをそれぞれ転舵するナックル１１ａ，１１ｂ，１１ｃ，１１ｄを備えている。各ナックル１１ａ、１１ｂ、１１ｃ、１１ｄは、サスペンション１２ａ，１２ｂ，１２ｃ，１２ｄにより支持される。
【００１６】
このサスペンション１２ａ，１２ｂ，１２ｃ，１２ｄは、車体ＢＤの左右両側で上下方向に揺動可能に軸支され車幅外方向に延びる上下一対のサスペンションアーム１２ａ１，１２ｂ１，１２ｃ１，１２ｄ１を備える。この上下一対のサスペンションアーム１２ａ１，１２ｂ１，１２ｃ１，１２ｄ１は、それぞれその先端部に設けたボールジョイント１３ａ，１３ｂ，１３ｃ，１３ｄを介してナックル１１ａ，１１ｂ，１１ｃ，１１ｄを連結し、各車輪Ｗfl，Ｗfr，Ｗrl，Ｗrrを鉛直軸回りに回転可能に支持する。尚、サスペンションアーム１２ａ１，１２ｂ１，１２ｃ１，１２ｄ１の下段アームと車体ＢＤとの間には、図示しないが、路面から受ける衝撃を吸収し乗心地を高めるバネ装置と、バネ装置の上下振動に対して減衰力を発生させるショックアブソーバとを備える。
【００１７】
左右前輪Ｗfl，Ｗfrのナックル１１ａ，１１ｂは後方に延設され、各ナックル１１ａ，１１ｂの各後端部には、ピン１４ａ，１４ｂが垂直方向を軸線方向にしてそれぞれ立設固定されている。左右後輪Ｗrl，Ｗrrのナックル１１ｃ，１１ｄは前方に延設され、各ナックル１１ａ，１１ｂの各前端部には、ピン１４ｃ，１４ｄが垂直方向を軸線方向にしてそれぞれ立設固定されている。
【００１８】
各ピン１４ａ，１４ｂ，１４ｃ，１４ｄは、転舵アクチュエータ１５ａ，１５ｂ，１５ｃ，１５ｄにより駆動アーム１６ａ，１６ｂ，１６ｃ，１６ｄを介して車両幅方向に駆動されるようになっている。転舵アクチュエータ１５ａ，１５ｂ，１５ｃ，１５ｄは、電動モータ及び同モータの回転を直線運動に変換してピン１５ａ１，１５ｂ１，１５ｃ１，１５ｄ１を車両幅方向に駆動する変換機構をハウジング１５ａ２，１５ｂ２，１５ｃ２，１５ｄ２内にそれぞれ収容している。ピン１５ａ１，１５ｂ１，１５ｃ１，１５ｄ１は、ハウジング１５ａ２，１５ｂ２，１５ｃ２，１５ｄ２に車幅方向に沿って設けたガイド孔１５ａ３，１５ｂ３，１５ｃ３，１５ｄ３から突出していて、同ガイド孔１５ａ３，１５ｂ３，１５ｃ３，１５ｄ３に沿って車幅方向に変位する。駆動アーム１６ａ，１６ｂ，１６ｃ，１６ｄは、各内側端にてピン１５ａ１，１５ｂ１，１５ｃ１，１５ｄ１の軸線回りに回動可能に組み付けられているとともに、各外側端にてピン１４ａ，１４ｂ，１４ｃ，１４ｄの軸線回りに回動可能に組み付けられていて、ピン１５ａ１，１５ｂ１，１５ｃ１，１５ｄ１の車幅方向の変位により、水平面上を揺動しながらピン１４ａ，１４ｂ，１４ｃ，１４ｄ及びナックル１１ａ，１１ｂ，１１ｃ，１１ｄを介して各輪Ｗfl，Ｗfr，Ｗrl，Ｗrrをそれぞれ転舵する。
【００１９】
また、この転舵装置は、車輪Ｗfl，Ｗfr，Ｗrl，Ｗrrを転舵するために、運転者によって回動操作される操舵ハンドル３１を備える。この操舵ハンドル３１は、操舵軸３２の上端に固定されており、操舵軸３２の下端は、電動モータおよび減速機構からなる反力アクチュエータ３３が接続される。反力アクチュエータ３３は、運転者による操舵ハンドル３１の回動操作に対して反力を付与するものである。
【００２０】
さらに、この車両は、転舵アクチュエータ１５ａ，１５ｂ，１５ｃ，１５ｄおよび反力アクチュエータ３３を制御するための転舵制御装置４０を備えている。転舵制御装置４０は、主要部をマイクロコンピュータにより構成するもので、操舵角センサ４１、車輪舵角センサ４２ａ，４２ｂ，４２ｃ，４２ｄ、操舵トルクセンサ４３、車速センサ４４、シフトポジションセンサ４５が接続される。また、転舵制御装置４０は、各転舵アクチュエータ１５ａ，１５ｂ，１５ｃ，１５ｄを駆動するための駆動回路５０ａ，５０ｂ，５０ｃ，５０ｄ、および操舵ハンドル３１に操舵反力を付与する反力アクチュエータ３３を駆動する駆動回路５１を接続する。
【００２１】
操舵角センサ４１は、操舵ハンドル３１に接続された操舵軸３２に組み付けられて、操舵ハンドル３１の中立位置からの回転角を検出して操舵角θとして出力する。操舵トルクセンサ４３も、操舵軸３２に組み付けられて操舵ハンドル３１に付与されたトルクを検出して操舵トルクＴとして出力する。車輪舵角センサ４２ａ，４２ｂ，４２ｃ，４２ｄ（以下、これらを総称するときは単に車輪舵角センサ４２と呼ぶ）は、転舵アクチュエータ１５ａ，１５ｂ，１５ｃ，１５ｄ（以下、これらを総称するときは単に転舵アクチュエータ１５と呼ぶ）に組み込まれて、各車輪Ｗfl，Ｗfr，Ｗrl，Ｗrrの中立位置からの転舵角δfl，δfr，δrl，δrr（以下、これらを総称するときは単に転舵角δと呼ぶ）を検出する。車速センサ４４は、車速Ｖを検出して出力する。シフトポジションセンサ４５は、変速機（図示省略）の変速状態を変化させるためのシフトレバー（図示省略）のシフト位置Ｓが、Ｄ（ドライブ）位置であるか、Ｎ（ニュートラル）位置であるか、Ｐ（パーキング）位置であるか、Ｒ（リバース）位置であるかを検出して出力する。
【００２２】
転舵制御装置４０は、各種センサ４１，４２，４３，４４，４５により検出される情報を基にして、各車輪Ｗfl，Ｗfr，Ｗrl，Ｗrrに接続される転舵アクチュエータ１５ａ，１５ｂ，１５ｃ，１５ｄを駆動回路５０ａ，５０ｂ，５０ｃ，５０ｄを介してそれぞれ独立に駆動制御する。図２は、左前輪Ｗflを転舵する左前輪転舵アクチュエータ１５ａおよび右前輪Ｗfrを転舵する右前輪転舵アクチュエータ１５ｂを駆動制御するための前輪転舵制御プログラムを示す。このプログラムは所定の短周期で繰り返し行われるものであり、ステップＳ１００にて開始され、ステップＳ１０１にて左右前輪Ｗfl，Ｗfrの目標転舵角δfl*，δfr*を計算する。この計算を行うにあたり、転舵制御装置４０は、操舵角θ、車速Ｖに応じた左右前輪Ｗfl，Ｗfrの目標転舵角δfl*，δfr*を予め前輪目標転舵角テーブルとして記憶しておき、走行中、この前輪目標転舵角テーブルを参照して左右前輪Ｗfl，Ｗfrの目標転舵角δfl*，δfr*を計算する。こうして目標転舵角δfl*，δfr*を計算した後は、ステップＳ１０２にて、車輪舵角センサ４２ａ，４２ｂによって検出した実際の転舵角δfl，δfrと目標転舵角δfl*，δfr*との差が０となるように左前輪転舵アクチュエータ１５ａおよび右前輪転舵アクチュエータ１５ｂをフィードバック制御する。このフィードバック制御によって、左右前輪Ｗfl，Ｗfrが目標転舵角δfl*，δfr*となるように、左前輪転舵アクチュエータ１５ａおよび右前輪転舵アクチュエータ１５ｂが駆動制御される。その後、ステップＳ１０３にてこのプログラムを一旦終了する。
【００２３】
図３は、左後輪Ｗrlを転舵する左後輪転舵アクチュエータ１５ｃおよび右後輪Ｗrrを転舵する右後輪転舵アクチュエータ１５ｄを駆動制御するための後輪転舵制御プログラムを示す。このプログラムも所定の短周期で繰り返しおこなわれるものであり、ステップＳ２００にて開始され、ステップＳ２０１にて左後輪Ｗrlの転舵状態が正常であるかを判定する。左後輪Ｗrlの転舵状態が正常であると判定した場合は、ステップＳ２０２にて右後輪Ｗrrの転舵状態が正常であるかを判定する。右後輪Ｗrrの転舵状態が正常であると判定した場合は、左右後輪Ｗrl，Ｗrrの転舵状態が共に正常であると判断して、ステップＳ２０３に進む。ここで、ステップＳ２０１およびＳ２０２における判定は、本発明の転舵異常検出手段に相当する。この判定においては、左右後輪Ｗrl，Ｗrrの目標転舵角δrl*，δrr*を後述の後輪目標転舵角テーブルから計算しており、なおかつ計算した目標転舵角δrl*，δrr*と実転舵角δrl，δrrとの差が所定以内となる場合にのみ正常と判定する。したがって、上記差が所定値よりも大きい場合や、目標転舵角δrl*，δrr*を後輪目標転舵角テーブルから計算していない場合には、異常と判定する。
【００２４】
左右後輪Ｗrl，Ｗrrの転舵状態が共に正常であると判定した場合には、ステップＳ２０３にて左右後輪Ｗrl，Ｗrrの目標転舵角δrl*，δrr*を計算する。この計算を行うにあたり、転舵制御装置４０は、操舵角θ、車速Ｖに応じた左右後輪Ｗrl，Ｗrrの目標転舵角δrl*，δrr*を予め前述した後輪目標転舵角テーブルとして記憶しておき、走行中、この後輪目標転舵角テーブルを参照して左右後輪Ｗrl，Ｗrrの目標転舵角δrl*，δrr*を計算する。こうして目標転舵角δrl*，δrr*を計算した後は、ステップＳ２０４にて、車輪舵角センサ４２ｃ，４２ｄによって検出した実際の左右後輪Ｗrl，Ｗrrの転舵角δrl，δrrと目標転舵角δrl*，δrr*との差が０となるように左後輪転舵アクチュエータ１５ｃおよび右後輪転舵アクチュエータ１５ｄをフィードバック制御する。このフィードバック制御によって、左右後輪Ｗrl，Ｗrrが目標転舵角δrl*，δrr*となるように、左後輪転舵アクチュエータ１５ｃおよび右後輪転舵アクチュエータ１５ｄが駆動制御される。そして、ステップＳ２１３にてこのプログラムを一旦終了する。
【００２５】
ステップＳ２０１にて左後輪Ｗrlの転舵状態が正常であると判定し、次のステップＳ２０２で右後輪Ｗrrの転舵状態が正常ではない（異常である）と判定した場合は、左右後輪Ｗrl，Ｗrrのうちの右後輪Ｗrrのみの転舵状態が異常である片輪転舵異常となっている場合である。この片輪転舵異常として、例えば右後輪Ｗrrが所定の転舵角で固定されてしまい、転舵不能となるような異常が挙げられる。このような場合は、右後輪Ｗrrを所定の転舵角、たとえば異常となったときの転舵角で固定した上で、ステップＳ２０５に進み、車速センサ４４が検出する車速Ｖが所定の基準車速Ｖ０以下であるかを判定する。この基準車速Ｖ０は、例えば５ｋｍ／ｈと設定される。車速Ｖが基準車速Ｖ０以下である場合はステップＳ２０６に進み、転舵状態が正常である左後輪Ｗrl（転舵正常輪）の目標転舵角δrl*を、転舵状態が異常である右後輪Ｗrr（転舵異常輪）の転舵角と大きさが同じであって逆向きの転舵角−δrrに設定する。また、ステップＳ２０５にて車速Ｖが基準車速Ｖ０よりも大きいと判定した場合には、ステップＳ２０７に進み、転舵正常輪である左後輪Ｗrlの目標転舵角δrl*を、転舵異常輪である右後輪Ｗrrの転舵角δrrに設定する。ステップＳ２０６またはステップＳ２０７にて目標転舵角δrl*が設定された後は、ステップＳ２０８にて、車輪舵角センサ４２ｃによって検出した実際の左後輪転舵角δrlと目標転舵角δrl*との差が０となるように左後輪転舵アクチュエータ１５ｃをフィードバック制御する。このフィードバック制御によって、左後輪Ｗrlが目標転舵角δrl*となるように左後輪転舵アクチュエータ１５ｃが駆動制御される。ここで、ステップＳ２０８におけるフィードバック制御が、本発明における転舵アクチュエータ制御手段に相当する。その後、ステップＳ２１３に進んでこのプログラムを一旦終了する。なお、一度でもステップＳ２０８のフィードバック制御を行った場合、次回以降の繰り返し処理では、ステップＳ２０２の判定結果は常に「Ｎｏ」とされる。
【００２６】
ステップＳ２０６にて目標転舵角δrl*が−δrrに設定されると、左後輪Ｗrlの転舵方向が右後輪Ｗrrの転舵方向と逆方向となるように左後輪転舵アクチュエータ１５ｃが駆動制御される。このような逆位相制御が行われた場合、図４（ａ）に示すように、転舵正常輪である左後輪Ｗrlと転舵異常輪である右後輪Ｗrrが車軸Ｌに対して対称的な転舵角をもって転舵した状態となる。この結果、左右後輪Ｗrl，Ｗrrにて発生する横力が互いに相殺されるので、左右前輪Ｗfl，Ｗfrの転舵にしたがって所望の方向に車両を操舵することが可能となる。
【００２７】
ここで、上記逆位相制御が行われるのは、車速Ｖが基準車速Ｖ０以下の場合、すなわち低速で走行しているか、あるいは後退走行している場合である。逆位相制御を行った場合には、左右後輪Ｗrl，Ｗrrが互いに逆方向に転舵された状態で走行することになるので、左右後輪Ｗrl，Ｗrrのうちどちらかの車輪が常にスリップ角を持って走行する状態となり、路面との間で発生する摩擦力により磨耗量が通常の走行と比較して極めて多くなる。例えば、スリップ角が１°増えるにつれて、磨耗量は３倍に増加する。このため、例えば転舵異常輪である右後輪Ｗrrの転舵角が５°であるとすると、通常時の走行（スリップ角が０°のときの走行）と比較して磨耗量が約１５倍となる。よって、このような状態での走行は、高速で長い距離を走行する際には不向きである。さらに、走行中に左右後輪Ｗrl，Ｗrrの横力が釣り合っている間はよいが、路面段差等で横力のバランスが崩れると急激に左右後輪Ｗrl，Ｗrrの横力の差が大きくなり、車両がふらついてしまう。このような不安定な挙動は速度が増すほど顕著になり、４０ｋｍ／ｈ程度になると、車両の挙動が安定せずに走行不能となる。加えて、高速走行中に逆位相制御を行うと、車輪から発生する異音が大きくなる。このような理由から、逆位相制御は車速が大きい場合には不向きである。
【００２８】
上記のような不具合は、車速が大きいほど顕著になるが、車速が小さい領域ではそれほど顕著ではない。また、車速が小さい場合には、片輪転舵異常を修理するために車庫入れをしたり、駐車スペースに駐車したりするなどの、比較的車両を操舵操作する状況が多くなると予測されるので、上記のような不具合が多少はあっても、車両の操作性を重視した転舵制御を行うのがよい。よって、車速Ｖが基準車速Ｖ０以下の低速走行時には、逆位相制御を行う。
【００２９】
また、ステップＳ２０７にて目標転舵角δrl*がδrrに設定される場合には、転舵正常輪である左後輪Ｗrlの転舵方向が転舵異常輪である右後輪Ｗrrの転舵方向と同一方向となるように左後輪転舵アクチュエータ１５ｃが駆動制御される。このような同位相制御が行われた場合、例えば図４（ｂ）に示すように、左右後輪Ｗrl，Ｗrrが平行な状態となる。したがって、左右前輪Ｗfl，Ｗfrも左右後輪Ｗrl，Ｗrrと同じ角度だけ転舵させて全ての車輪を同じ転舵角とすることにより、車体ＢＤは車軸Ｌに対して所定の角度だけ傾いたまま、安定した直進走行が可能となる。
【００３０】
ここで、上記同位相制御が行われるのは、車速Ｖが基準車速Ｖ０よりも大きい場合、すなわち高速走行している場合である。同位相制御を行った場合には、左右後輪Ｗrl，Ｗrrが互いに同一方向に転舵された状態で走行することになるので、上述したように車体が常にある一定の転舵角だけ傾いた状態で走行する状態となる。このような状態は、図５の実線で示すように、進行方向に対して車体が傾いている分だけ車幅が大きくなり（図示車幅Ｗ１参照）、通常時の車幅（図示車幅Ｗ参照）の感覚と異なるために車幅が把握し難くなるとともに、狭い路地での走行が難しくなる。また、図６に示すように、例えば転舵異常輪である右後輪Ｗrrが車軸Ｌに対して右向きに転舵している場合は、車両が右旋回する際の回転半径Ｒｒが、同じ舵角量で左旋回する際の回転半径Ｒｌよりも大きくなる。このため、操舵ハンドルの切り込み方向によって回転半径が異なり、車庫入れなどのような操舵ハンドルを頻繁に左右に切込み操作する状況では操作性が悪くなる。
【００３１】
上記のような車両の操作性に関する問題は、車庫入れをするときなどの操作ハンドルを頻繁に取り回す低速走行時に顕著に発生するが、高速走行時では車両の操作性に関する問題はあまり発生しない。むしろ、高速走行時には、車両の操作性よりも車両の走行安定性を重視した方がよい。このため、車速Ｖが基準車速Ｖ０よりも大きい高速走行時には、安定した直進走行が可能な同位相制御を行う。
【００３２】
また、図３の制御プログラムにおいて、ステップＳ２０１にて左後輪Ｗrlの転舵状態が正常ではない（異常である）と判定された場合（Ｓ２０１：Ｎｏ）は、左後輪Ｗrlを所定の転舵角で固定した上で、ステップＳ２０９に進む。ここで、本実施形態では、ステップＳ２０１にて左後輪Ｗrlの転舵状態が正常でないと判定したときは、左右後輪Ｗrl，Ｗrrのうちの左後輪Ｗrlのみが転舵異常であると推定する。ステップＳ２０１の判定が「Ｎｏ」である場合は、左後輪Ｗrlのみが転舵異常である片輪転舵異常である場合のほか、左右後輪Ｗrl，Ｗrrのいずれもが転舵異常である両輪転舵異常である場合も考えられる。しかし、一般的に同時に左右後輪Ｗrl，Ｗrrが転舵異常となる確率は十分低いこと、および、片輪転舵異常となって車両を修理工場まで移動させるのみの短い走行時間の間にもう一方の後輪までもが転舵異常になる確率は十分低いこと、から、両輪転舵異常は非常に起こり難いものと考えられるので、本実施形態においては両輪転舵異常を考慮しない。
【００３３】
ステップＳ２０９では、車速センサ４４が検出する車速Ｖが所定の基準車速Ｖ０以下であるかを判定する。車速Ｖが基準車速Ｖ０以下である場合はステップＳ２１０に進み、転舵正常輪である右後輪Ｗrrの目標転舵角δrr*を、転舵異常輪である左後輪Ｗrlの転舵角δrlと大きさが同じであって逆向きの転舵角−δrlに設定する。一方、車速Ｖが基準車速Ｖ０よりも大きいと判定した場合には、ステップＳ２１１にて、右後輪Ｗrrの目標転舵角δrr*を左後輪Ｗrlの転舵角δrlに設定する。ステップＳ２１０またはステップＳ２１１にて目標転舵角δrr*が設定された後は、ステップＳ２１２にて、車輪舵角センサ４２ｄによって検出した実際の右後輪転舵角δrrと目標転舵角δrr*との差が０となるように右後輪転舵アクチュエータ１５ｄをフィードバック制御する。このフィードバック制御によって、右後輪Ｗrrが目標転舵角δrr*となるように右後輪転舵アクチュエータ１５ｄが駆動制御される。ここで、ステップＳ２１２のフィードバック制御が、本発明における転舵アクチュエータ制御手段に相当する。その後、ステップＳ２１３に進んでこのプログラムを一旦終了する。なお、一度でもステップＳ２１２のフィードバック制御を行った場合、次回以降の繰り返し処理において、ステップＳ２０１の判定結果は常に「Ｎｏ」とされる。
【００３４】
このように、本実施形態によれば、車速Ｖに応じて同位相制御または逆位相制御を行うことにより、走行状態に見合った車両の操舵操作を行うことが可能となる。また、基準車速Ｖ０以下の車速で走行している低速走行時に逆位相制御を行うことにより、車庫入れや駐車時などの操舵操作をスムーズに行うことができる。さらに、基準車速Ｖ０よりも大きい車速で走行している高速走行時に同位相制御を行うことにより、安定した走行を行うことができる。
【００３５】
図７は、後輪転舵制御プログラムの他の制御例を示すフローチャートである。この制御プログラムは、ステップＳ３００にて開始され、ステップＳ３０１にて左後輪Ｗrlの転舵状態が正常かを判定する。左後輪Ｗrlの転舵状態が正常である場合は、次に右後輪Ｗrrの転舵状態が正常かを判定する（Ｓ３０２）。左右後輪Ｗrl，Ｗrrの転舵状態が正常かどうかの判定は、図３に示す後輪転舵制御プログラムで説明したものと同様な方法で行う。また、ステップＳ３０１およびＳ３０２における判定は、本発明の転舵異常検出手段に相当する。
【００３６】
左右後輪Ｗrl，Ｗrrの転舵状態が共に正常であると判定した場合には、ステップＳ３０３にて、後輪目標転舵角テーブルに基づき左右後輪Ｗrl，Ｗrrの目標転舵角δrl*，δrr*を計算する。続いて、ステップＳ３０４にて、車輪舵角センサ４２ｃ，４２ｄによって検出した実際の左右後輪転舵角δrl，δrrと目標転舵角δrl*，δrr*との差が０となるように左後輪転舵アクチュエータ１５ｃおよび右後輪転舵アクチュエータ１５ｄをフィードバック制御する。このフィードバック制御によって、左右後輪Ｗrl，Ｗrrが目標転舵角δrl*，δrr*となるように、左後輪転舵アクチュエータ１５ｃおよび右後輪転舵アクチュエータ１５ｄが駆動制御される。その後、ステップＳ３１５に進んでこのプログラムを一旦終了する。
【００３７】
ステップＳ３０１にて左後輪Ｗrlの転舵状態が正常であると判定し、次のステップＳ３０２で右後輪Ｗrrの転舵状態が正常ではない（異常である）と判定した場合は、左右後輪Ｗrl，Ｗrrのうちの右後輪Ｗrrのみが転舵異常である片輪転舵異常となっている場合である。この場合は、右後輪Ｗrrの転舵角を固定した上でステップＳ３０５に進み、シフトポジションセンサ４５で検出されているシフト位置Ｓが“Ｒ”（リバース）位置であるかを判定する。シフト位置Ｓが“Ｒ”位置である場合はステップＳ３０６に進み、重み係数Ｘを−１として、ステップＳ３０８に進む。一方、シフト位置Ｓが“Ｒ”位置ではない場合はステップＳ３０７に進み、重み係数マップから車速Ｖに応じた重み係数Ｘを計算する。その後ステップＳ３０８に進む。
【００３８】
ここで、重み係数Ｘは、後述のステップＳ３０８にて目標転舵角を求める際に用いる係数であり、重み係数マップは、速度に応じて重み係数が設定されたマップである。この重み係数マップの一例を図８に示す。図８からわかるように、重み係数Ｘは、車速Ｖが第一車速Ｖ１以下の低速走行時は−１、車速Ｖが第二車速Ｖ２以上の高速走行時は１であり、車速Ｖが第一車速Ｖ１以上で第二車速Ｖ２以下のときは、車速Ｖの増加にしたがって−１〜１の範囲で単調増加するように設定される。ただし、シフトポジションセンサ４５で検出されるシフト位置Ｓが“Ｒ”（リバース）位置である場合（Ｓ３０５：ＹＥＳ）には、図８の重み係数マップを参照せずに、重み係数Ｘを−１に設定する（Ｓ３０６）。
【００３９】
ステップＳ３０８では、転舵正常輪である左後輪Ｗrlの目標転舵角δrl*を、転舵異常輪である右後輪Ｗrrの転舵角δrrに重み係数Ｘを掛け合わして算出する。続いて、ステップＳ３０９にて、車輪舵角センサ４２ｃによって検出した実際の左後輪転舵角δrlと目標転舵角δrl*との差が０となるように左後輪転舵アクチュエータ１５ｃをフィードバック制御する。このフィードバック制御によって、左後輪Ｗrlが目標転舵角δrl*となるように左後輪転舵アクチュエータ１５ｃが駆動制御される。ここで、ステップＳ３０９におけるフィードバック制御が、本発明における転舵アクチュエータ制御手段に相当する。その後、ステップＳ３１５に進んでこのプログラムを一旦終了する。なお、一度でもステップＳ３０９のフィードバック制御を行った場合には、次回以降の繰り返し処理において、ステップＳ３０２の判定結果は常に「Ｎｏ」とされる。
【００４０】
重み係数Ｘが−１のときは、ステップＳ３０８の計算で左後輪Ｗrlの目標転舵角δrl*は−δrrとなる。このため、ステップＳ３０９における左後輪転舵アクチュエータ１５ｃの駆動制御は逆位相制御となる。重み係数Ｘが−１となるのは車速Ｖ１以下の低速走行時あるいはシフト位置Ｓが“Ｒ”位置であるとき、つまり後退走行時なので、このときに逆位相制御を行うことにより、車庫入れなどを行う際にスムーズに車両を操作することができる。一方、重み係数Ｘが１のときは、ステップＳ３０８の計算で目標転舵角δrl*はδrrとなり、この場合はステップＳ３０９における左後輪転舵アクチュエータ１５ｃの駆動制御は同位相制御となる。重み係数Ｘが１となるのは車速がＶ３以上の高速走行時であるので、このときに同位相制御を行うことにより、高速で直線走行を行う際に車両の走行安定性を確保することができる。
【００４１】
図８の重み係数マップに示すように、車速がＶ１〜Ｖ２の領域では、車速Ｖの増加につれて重み係数Ｘが−１〜１の範囲で連続的に単調増加する。このため、車速ＶがＶ１以下の領域からＶ２以上の領域に変化するときに、逆位相制御と同位相制御とが連続的につながって制御される。このため、制御が切り換わるときに転舵正常輪の転舵角の変更を滑らかに行うことができ、急に逆位相制御から同位相制御（または同位相制御から逆位相制御）に切り換わって車両の挙動が不安定になるのを防止することができる。
【００４２】
また、図７において、ステップＳ３０１にて左後輪Ｗrlの転舵状態が正常ではない（異常である）と判定した場合は、左後輪Ｗrlの転舵角を固定した上でステップＳ３１０に進む。ここで、ステップＳ３０１にて左後輪Ｗrlの転舵状態が正常でないと判定したときは、左右後輪Ｗrl，Ｗrrのうちの左後輪Ｗrlのみの転舵状態が異常であると推定する。
【００４３】
ステップＳ３１０では、シフトポジションセンサ４５で検出されているシフト位置Ｓが“Ｒ”（リバース）位置であるかを判定し、シフト位置Ｓが“Ｒ”位置である場合はステップＳ３１１に進み、重み係数Ｘを−１として、ステップＳ３１３に進む。一方、シフト位置Ｓが“Ｒ”位置ではない場合はステップＳ３１２に進み、重み係数マップから車速Ｖに応じた重み係数Ｘを計算する。その後ステップＳ３１３に進む。そして、ステップＳ３１３にて、転舵正常輪である右後輪Ｗrrの目標転舵角δrr*を、転舵異常輪である左後輪Ｗrlの転舵角δrlに重み係数Ｘを乗じて計算する。続いて、実際の右後輪転舵角δrrと目標転舵角δrr*との差が０となるように右後輪転舵アクチュエータ１５ｄをフィードバック制御する（Ｓ３１４）。このフィードバック制御によって、右後輪Ｗrrが目標転舵角δrr*となるように右後輪転舵アクチュエータ１５ｄが駆動制御される。ここで、ステップＳ３１４におけるフィードバック制御が、本発明の転舵アクチュエータ制御手段に相当する。その後、ステップＳ３１５に進んでこのプログラムを一旦終了する。なお、一度でもステップＳ３１４のフィードバック制御を行った場合、次回以降の繰り返し処理において、ステップＳ３０１の判定結果は常に「Ｎｏ」とされる。
【００４４】
上記説明のように、図７のフローチャートに示す制御例では、車両の走行状態を検出するための車速センサ４４またはシフトポジションセンサ４５の検出結果（シフト位置、車速）に応じて逆位相制御または同位相制御を行い、転舵正常輪の転舵アクチュエータを駆動制御している。したがって、走行状態に見合った車両の操舵操作を行うことが可能となる。また、車速がＶ１よりも小さいとき、および、シフト位置Ｓが“Ｒ”位置であるときに逆位相制御を行うことにより、適格に低速走行時および後退走行時を把握して、車庫入れや駐車を行う際の操舵操作をスムーズに行うことができる。さらに、車速がＶ２以上の高速走行時に同位相制御を行うことにより、安定した走行を行うことができる。
【００４５】
以上、本実施形態の転舵装置について説明したが、本発明は上記実施形態に限定されるものではなく、本発明の目的を逸脱しない限りにおいて種々の変更が可能である。例えば、本実施形態の第一制御例では、逆位相制御において転舵正常輪の転舵角が転舵異常輪の転舵角と大きさが同じで逆方向の転舵角となるように制御した例を示したが、転舵正常輪の転舵方向と転舵異常輪の転舵方向とが逆方向となるように転舵正常輪を転舵しさえすれば、必ずしも転舵角の大きさが同じとなるように制御しなくてもよい。同様に、同位相制御において、転舵正常輪の転舵角は、転舵異常輪の転舵方向と同一方向でありさえすれば、必ずしも大きさが同じとなるように制御しなくてもよい。
【図面の簡単な説明】
【００４６】
【図１】本発明の実施形態に係る転舵装置の全体構成図である。
【図２】本発明の実施形態に係る前輪転舵制御プログラムのフローチャートである。
【図３】本発明の実施形態に係る後輪転舵制御プログラムのフローチャートである。
【図４】本発明の実施形態に係る後輪転舵制御を行った場合の後輪の転舵状態を示す図であり、（ａ）は逆位相制御を行った場合、（ｂ）は同位相制御を行った場合の後輪の転舵状態を表す。
【図５】本実施形態に係る後輪転舵制御によって同位相制御を行った場合の車両の走行状態を示す図である。
【図６】本実施形態に係る後輪転舵制御によって同位相制御を行った場合における、右旋回時の回転半径と左旋回時の回転半径の違いを示す図である。
【図７】本実施形態に係る後輪転舵制御プログラムの他の例を示すフローチャートである。
【図８】図７に示す制御例で用いる重み係数のマップである。
【符号の説明】
【００４７】
１０Ａ，１０Ｂ，１０Ｃ，１０Ｄ…転舵機構、１５ａ，１５ｂ，１５ｃ，１５ｄ…転舵アクチュエータ、４０…転舵制御装置、４２ａ，４２ｂ，４２ｃ，４２ｄ…車輪舵角センサ、４４…車速センサ（走行状態検出手段）、４５…シフトポジションセンサ（走行状態検出手段）、５０ａ，５０ｂ，５０ｃ，５０ｄ…駆動回路、Ｓ２０１，Ｓ２０２，Ｓ３０１，Ｓ３０２…転舵異常検出手段、Ｓ２０８，Ｓ２１２，Ｓ３０９，Ｓ３１４…転舵アクチュエータ制御手段
【図１】
2007230511.tif 000003
【図２】
2007230511.tif 000004
【図３】
2007230511.tif 000005
【図４】
2007230511.tif 000006
【図５】
2007230511.tif 000007
【図６】
2007230511.tif 000008
【図７】
2007230511.tif 000009
【図８】
2007230511.tif 000010